(57)【要約】      （修正有）【課題】ホースなどが汚れない様にする。【解決手段】内部に消火用ホース３０が内巻きに収容されている消火用ホース収容箱１の前面（正面）１ａには縦長状の開口部５が設けられている。前記開口部５の左右の側縁部には、２本の蓋体支持部材７，７が設けられ、該蓋体支持部材７，７には、該開口部５を覆う固定板９，および扉板１１を設けている。【選択図】図２
2010119643.tif 000002
【特許請求の範囲】
【請求項１】
２本の枠部材の間に縦長状の開口部を設けている消火用ホース収容箱を備えている消火栓装置であって、
該開口部を覆う蓋体を設けていることを特徴とする消火栓装置。
【請求項２】
前記蓋体は、前記２本の枠部材に着脱自在に固定される固定板を備え、かつ、その上側に扉板を有し、
該扉板は、前記固定板の上辺に軸着されて、前記収容箱の前方に倒れるように開放動作することを特徴とする請求項１記載の消火栓装置。
【請求項３】
前記収容箱は、４隅の一部、又は、全部に隅部開口部を有し、該隅部開口部を覆う隅用蓋体が形成されていることを特徴とする請求項１、又は、２記載の消火栓装置。
【請求項４】
前記扉体は、その裏面に反射部、又は、表示部が設けられていることを特徴とする請求項１、２、又は、３記載の消火栓装置。
【発明の詳細な説明】
【技術分野】
【０００１】
この発明は、道路トンネルなどに配設される消火栓装置に関するものである。
【背景技術】
【０００２】
従来の消火栓装置は、トンネルの壁面に形成された、監査路に合わせて箱抜きされた空間に収容されているが、この消火栓装置は、前面を開放した箱状の筺体に、化粧枠を取り付けて本体外形を形成している。この本体内には、先端にノズルが設置された保形ホースによる消火栓部分と、消火器部分と、押しボタン等の電気機器が集約された非常通報部分と、が設けられている。
【発明の開示】
【発明が解決しようとする課題】
【０００３】
従来の消火栓装置は、前述のように、本体内に消火栓部分と消火器部分と非常通報部分とを備えているので、全体として大型・重厚に形成されている。そのため、その運搬や設置に多くの時間、労力がかかり、費用がかさんでしまう。
【０００４】
そこで、箱状の筺体を無くすことが考えられるが、その様にすると、消火用のホース収容部(ホースバケット)は、トンネル内の雰囲気に晒され、前記ホース等が汚れる。そのため、火災の際に、使用者が該ホース等を手にとって操作するのを躊躇し、消火活動を円滑に行えなくなる恐れがある。
【０００５】
この発明は、上記事情に鑑み、ホースなどが汚れない様にすることを目的とする。
【課題を解決するための手段】
【０００６】
この発明は、２本の枠部材の間に縦長状の開口部を設けている消火用ホース収容箱を備えている消火栓装置であって、該開口部を覆う蓋体を設けていることを特徴とする。
【０００７】
この発明の前記蓋体は、前記２本の枠部材に着脱自在に固定される固定板を備え、かつ、その上側に扉板を有し、該扉板は、前記固定板の上辺に軸着されて、前記収容箱の前方に倒れるように開放動作することを特徴とする。
【０００８】
この発明の前記収容箱は、４隅の一部、又は、全部に隅部開口部を有し、該隅部開口部を覆う隅用蓋体が形成されていることを特徴とする。この発明の前記扉体は、その裏面に反射部、又は、表示部が設けられていることを特徴とする。
【発明の効果】
【０００９】
この発明は、消火用ホース収容箱の開口部を覆う蓋体を設けているので、該箱内にゴミ、埃などが浸入するのを防止することができる。そのため、前記箱内のホース等が汚れないので、使用者は、火災の際等に躊躇することなくノズル等を握り操作することができる。そのため、迅速に消火活動を行うことができる。
【００１０】
この発明は、前記２本の枠部材に着脱自在に固定される固定板を備え、かつ、その上側に扉板を有し、該扉板は、前記固定板の上辺に軸着されているので、火災発生時に、該扉体を開け、簡単にノズルを握ってホースを引き出すことができる。
【００１１】
又、消火作業終了後に該ホースを内巻きにして収容する際には、下側の固定板を開放し、該開口部を全開にすることができる。そのため、ホースの収容作業を容易に行うことができる。
【００１２】
この発明は、４隅の一部、又は、全部に隅部用蓋体を設けたので、前記隅部を一部、又は、全部開放することができる。そのため、消火用ホースを内巻きで収容する際、巻き込み具合を目で確認しながら調整することができる。
【００１３】
この発明の扉体は、その裏面に反射部、又は、表示部を設けているので、火災時に、該扉体が前方に回転しその裏面が露出する。そうすると、走行中の車のヘッドライトなどの光が前記反射部に衝突して反射し、注意を喚起させるとともに、前記表示部の記載を読むことにより操作方法等を知ることができる。
【発明を実施するための最良の形態】
【００１４】
この発明の第１の実施形態を図１〜図３により説明する。
道路トンネルの壁面には、箱抜きされた空間が形成され、該空間には床面に固定された、ベース４を介して消火用ホース収容箱１と、消火器電気機器収納箱３とが配設されている。
【００１５】
前記収容箱１は、その内部に消火用ホース３０が内巻きに収容されていて、ステンレス等の壁により覆われているが、その前面（正面）１ａには開口部５が設けられている。この開口部５は、天壁１ｂから底壁１Ｃに至る方向に、縦長状に形成されているが、その形状、長さ、開口面積等は、ホース３０の出し入れに支障のない範囲で、適宜選択される。
【００１６】
前記開口部５の左右の側縁部には、蓋体支持部材７が設けられている。この蓋体支持部材７は、開口部５の側縁部をＬ字状に曲げて形成された板状体である。この蓋体支持部材７の形状、長さ等は必要に応じて適宜選択され、例えば、前記側縁部の全長にわたって棒状体を設けてもよい。
【００１７】
前記蓋体支持部材７の中間点、即ち、その全長の１／２の地点、７ｐより下方には、前記開口部５の下半分部を開閉する、長方形状の固定板９が設けられている。この固定板９の両側縁部は、前記蓋体支持部材７にねじ１３により固定されている。
【００１８】
前記中間地点７ｐより上方には、前記開口部５の上半分部を覆う扉板１１が設けられている。前記扉体１１は、長方形状の板体であり、その下端１１ａは、前記固定板９の上辺に蝶番１０等により軸止されている。
前記扉体１１の上辺には、天壁１ｂに設けられた係止片に係合する掛け止め部１５が設けられ、その下部には、前記係止片との係合を解除させるハンドル１７が設けられている。この様な消火栓ホース収納箱１は、従来の消火栓装置の様に大きな筐体内に収容されていないので、消火器電気機器収納箱３と個別に取り扱うことができ、運搬や設置の作業性が良い。
【００１９】
なお、図において、２０は水源に連結されている給水管接続口、２２は消火栓弁、２３は配管部分の支持枠、２４は消火栓弁２２の開閉レバー、２６は電気機器収納部の表示灯、２８は非常用押しボタン、２９は開閉扉２７のハンドル、をそれぞれ示す。なお、図示しないが、開閉扉２７の内側には、消火器が設置されている。
【００２０】
次に本実施の形態の作動について説明する。
消火用ホース収容箱１は、常時、扉体１１を閉じているので、開口部５は閉鎖されている。そのため、該収容箱１内への塵、埃等の浸入は阻止されるので、消火用ホース３０等の汚れを防止することができる。
【００２１】
火災発生時などにおいて、消火栓装置を使用する場合、使用者は、ハンドル１７に手をかけて手前に引くと、掛け止め部１５が係止部から外れる。そして、前記扉体１１は、蝶番１０を中心に回転して前方に倒れ、固定板９に近接し、垂直状となるので、該扉体１１が収容箱１の前方に突出しないため、ホース引き出し時に邪魔になることはない。
この状態では、前記開口部５の上半部分が開かれている。
【００２２】
前記使用者が、図示しないノズルホルダに保持されている、ノズル３３を手で握り、手前に引き出すと、内巻きされているホース３０が開口部５から順次繰り出される。この時、前記ホース３０は、前記蓋体支持部材７や固定板９の上辺及び扉体１１の下辺に当接し、摩擦抵抗を受けるので、繰り出し量が規制される。そのため、ホース３０のバラケ、即ち、ホースが自重により落下してバラバラになる状態や、必要以上に飛び出す等、の不都合が発生するのを防止することができるので、円滑に引き出すことができる。
【００２３】
消火作業終了後、ホース３０を前記収容箱１に収容する場合には、ねじ１３を外して固定板９を蓋体支持部材７から外して開口部５の下半分も開口し開放する。
この様にして、開口部５を全部開いた状態で、前記収容箱１の内壁を利用してホース３０を内巻きにして収容するので、収納作業が容易となる。
【００２４】
前記ホース３０を収容したら、固定板９を蓋体支持部材７にねじ１５止めするとともに、扉体１１を回転させて掛止め部１５を係止片に係合させる。これにより開口部５は全閉状態となる。
【００２５】
この発明の第２の実施形態を図４により説明するが、図１〜図３と同一図面符号はその名称も機能も同一である。
この実施形態と第１実施形態との相違点は、消火用ホース収容箱１の４隅、即ち、左側の上隅４０Ａ及び下隅４０Ｂ、右側の上隅４０Ｃ及び下隅４０Ｄ、に隅部開口部を設け、前記隅部開口部を覆う隅部用蓋体４０ａ〜４０ｄを設け、ねじ１５止めしたことである。
【００２６】
この実施の形態では、ホース３０を収容するときに、隅部用蓋体４０ａ〜４０ｄを外すと、４隅の全部から前記収容箱１内を目視できるので、ホース３０を内巻き収容する際、巻き込み具合を確認しながら、調整することができる。
なお、前記隅部用蓋体４０ａ〜４０ｄは、必ずしも全部開く必要はなく、その一部、例えば、上隅４０ａ、４０ｃのみを開いても良いことは勿論である。
【００２７】
この発明の実施形態は、上記に限定されるものではなく、例えば、次のようにしても良い。
（１）扉体の裏面（内面）に反射部や表示部を設ける。
前記反射部を設けると、扉体を開いたときに、該反射部のミラーなどが露出する。そのため、走行中の車のヘッドライト等の光が反射し、異常事態が発生していることを知らせることができる。
又、表示部に、絵を用いた操作方法等を記載しておけば、間違わずに、操作を行うことができる。
【００２８】
（２）隅部用蓋体は、必ずしも４隅全部に設ける必要はなく、その一部、例えば、上辺側の右隅及び左隅、に設けてもよい。
（３）固定板や隅部用蓋体の固定手段として、ねじの代わりに、他の固定手段、例えば、蝶番等で固定しても良い。
【図面の簡単な説明】
【００２９】
【図１】本発明の第１の実施形態を示す縦断面図である。
【図２】消火用ホース収容箱を示す拡大斜視図である。
【図３】図２と異なる状態を示す拡大斜視図である。
【図４】本発明の第２の実施形態を示す縦断面図である。
【符号の説明】
【００３０】
１      消火栓装置
５      開口部
７      蓋体支持部材
９      固定板
１１    扉体
１３    ねじ
【図１】
2010119643.tif 000003
【図２】
2010119643.tif 000004
【図３】
2010119643.tif 000005
【図４】
2010119643.tif 000006